(57)【要約】【課題】インクジェット記録用インクセットに対し、黒顔料を着色剤とした黒インクを使用しながらも光沢紙定着性に優れ、記録画像の印字色において退色後にも黒インクの印字部分が不自然に目立たないようにし、しかも、インク自体が良好な保存安定性を保持し、更に記録画像が良好な耐水性を保持する。【解決手段】イエロー染料を含有するイエロー染料インク、マゼンタ染料を含有するマゼンタ染料インク、シアン染料を含有するシアン染料インク及び黒インクからなるインクジェット記録用インクセットにおいて、黒インクが、黒顔料、当該インクセットに用いられている該イエロー染料、該マゼンタ染料及び該シアン染料を含有する。黒インク中における黒顔料の含有量と、黒インク中におけるイエロー染料、マゼンタ染料及びシアン染料の合計含有量との重量比は、７０（７０を含まず）：３０〜３０：７０である。【選択図】なし【特許請求の範囲】
【請求項１】
イエロー染料を含有するイエロー染料インク、マゼンタ染料を含有するマゼンタ染料インク、シアン染料を含有するシアン染料インク及び黒インクからなるインクジェット記録用インクセットにおいて、黒インクが、黒顔料、該イエロー染料、該マゼンタ染料及び該シアン染料を含有しており、黒インク中における黒顔料の含有量と、黒インク中における該イエロー染料、該マゼンタ染料及び該シアン染料の合計含有量との重量比が７０（７０を含まず）：３０〜３０：７０であることを特徴とするインクジェット記録用インクセット。
【請求項２】
該黒インク中における黒顔料の含有量と、該黒インク中における該イエロー染料、該マゼンタ染料及び該シアン染料の合計含有量との重量比が６５：３５〜３０：７０である請求項１記載のインクジェット記録用インクセット。
【請求項３】
該黒インク中に含有されている該イエロー染料、該マゼンタ染料及び該シアン染料の重量比が、１：（０．５〜２）：（０．５〜２）である請求項１又は２記載のインクジェット記録用インクセット。
【発明の詳細な説明】
【技術分野】
【０００１】
本発明は、インクジェット記録用インクセットに関する。
【背景技術】
【０００２】
インクジェット記録方法を用いて鮮明なフルカラー画像を形成するために、イエロー染料インク、マゼンタ染料インク及びシアン染料インクからなるインクセットが用いられている。
【０００３】
ところで、このようなインクセットで黒色情報を印字する場合、三原色カラーインクの混色により行うことができるが、印字コストが高くなるため、通常、比較的低コストで入手可能な黒染料インクをインクセットに加え、それを用いて黒色情報を印字していた。
【０００４】
しかし、黒染料インクは、耐光性、耐水性及び耐オゾン性が充分とは言えなかった。このため、最近のインクジェット記録用インクセットには、黒インクとして、黒染料インクに比べて耐光性、耐水性及び耐オゾン性に優れているカーボンブラックを着色剤とする黒顔料インクが用いられている。
【０００５】
しかしながら、黒顔料インクは、光沢紙定着性が黒染料インクに比べ充分でなく、印字物を指で触るとインクが指に付着したり、指や紙同士で擦れて画像品質が低下するという問題があった。
【０００６】
また、有機系の顔料や染料を使用している限り、カラー画像が退色することは避けられないが、それぞれのインクが同じように退色すれば記録画像の品位の低下を少しでも抑制することができる。しかし、黒顔料インクはカラー染料インクに比べて退色し難いため、カラー染料インクの退色に伴って、黒顔料インクの印字部分が、退色したカラー画像領域から不自然に目立つようになるという問題があった。そこで、黒顔料と黒染料とを併用することが提案されている（特許文献１）が、黒染料とカラー染料とが同じように退色しないので、やはり、黒顔料インクの印字部分が、退色したカラー画像領域から不自然に目立つという問題は解決できなかった。なお、インクジェット記録用インクに対しては、記録画像の良好な保存安定性や耐水性も当然に求められている。
【特許文献１】特開平１１−３４９８７６号公報
【発明の開示】
【発明が解決しようとする課題】
【０００７】
本発明は、インクジェット記録用インクセットに対し、黒インクを使用しながらも光沢紙定着性に優れ、記録画像の印字色において退色後にも黒インクの印字部分が不自然に目立たないようにし、しかも、インク自体が良好な保存安定性を保持し、更に記録画像が良好な耐水性を保持できるようにすることを目的とする。
【課題を解決するための手段】
【０００８】
本発明者等は、カラー染料インクと黒インクとを用いたインクジェット記録用インクセットの当該黒インクに、黒顔料に加えて、黒顔料よりも光沢紙定着性に優れた染料を所定量範囲で含有させ、しかも黒インクに含有させる染料として、インクジェット記録用インクセットのカラー染料インクのカラー染料と同一のものを使用することにより上述の目的を達成できることを見出し、本発明を完成させるに至った。
【０００９】
即ち、本発明は、イエロー染料を含有するイエロー染料インク、マゼンタ染料を含有するマゼンタ染料インク、シアン染料を含有するシアン染料インク及び黒インクからなるインクジェット記録用インクセットにおいて、黒インクが、黒顔料、該イエロー染料、該マゼンタ染料及び該シアン染料を含有しており、黒インク中における黒顔料の含有量と、黒インク中における該イエロー染料、該マゼンタ染料及び該シアン染料の合計含有量との重量比が７０（７０を含まず）：３０〜３０：７０であることを特徴とするインクジェット記録用インクセットを提供する。
【発明の効果】
【００１０】
カラー染料を含有するカラー染料インク及び黒インクからなる本発明のインクジェット記録用インクセットにおいては、当該黒インクに、黒顔料に加えて、黒顔料よりも光沢紙定着性に優れたカラー染料を所定量範囲で含有させるので、記録画像の保存安定性（耐光性や耐オゾン性）や耐水性を損なわずに、黒インクの光沢紙定着性を改善できる。また、黒インクに含有させるカラー染料として、インクジェット記録用インクセットのカラー染料インクのカラー染料と同一の染料を使用するので、カラー染料インク記録部分の退色に伴い、黒インク記録部分のカラー染料も同じように退色するので、黒インク記録部分が退色したカラー記録部分から不自然に目立たない。
【発明を実施するための最良の形態】
【００１１】
本発明のインクジェット記録用インクセットは、イエロー染料を含有するイエロー染料インク、マゼンタ染料を含有するマゼンタ染料インク、シアン染料を含有するシアン染料インク及び黒顔料を含有する黒インクを有する。ここで、黒インクは、黒顔料に加えて、インクジェット記録用インクセットを構成するカラーインクに用いられているものと同一のカラー染料を含有する。しかも、黒インク中における黒顔料の含有量と、黒インク中におけるイエロー染料、マゼンタ染料及びシアン染料の合計含有量との重量比は、７０（７０を含まず）：３０〜３０：７０、好ましくは６５：３５〜３０：７０、より好ましくは６０：４０〜４０：６０である。
【００１２】
また、黒インク中に含有されているイエロー染料（Ｙ）、マゼンタ染料（Ｍ）及びシアン染料（Ｃ）の重量比（Ｙ：Ｍ：Ｃ）は、これら３種のカラー染料で黒様色を表現できるような重量比とすることが好ましい。具体的には、使用する染料の種類などにより変動するが、好ましくは１：（０．５〜２）：（０．５〜２）、より好ましくは１：（０．８〜１．２）：（０．８〜１．２）である。
【００１３】
黒インクに含まれる黒顔料としては、カーボンブラック、酸化チタン、酸化鉄系等の無機顔料が使用できる。  さらに、顔料を界面活性剤や高分子分散剤等で表面処理した自己分散型顔料、例えば、グラフトカーボン等も使用することができる。自己分散型顔料としては市販品を使用することができ、例えば、カーボンブラック、キャボット社製ＣＡＢ−Ｏ−ＪＥＴ（登録商標）２００及び３００等、オリエント化学工業（株）製ＢＯＮＪＥＴ（登録商標）ＢＬＡＣＫ ＣＷ−１及びＣＷ−２等が挙げられる。また、発明の効果を損なわない範囲で、Ｃ．Ｉ．フードブラック２等の黒染料を併用してもよい。
【００１４】
また、イエロー染料インクの着色剤であるイエロー染料としては、インクジェット記録用インクに一般的に使用される直接染料及び酸性染料等を使用できる。イエロー染料インクには、本発明の効果を損なわない範囲でイエロー顔料を含有させてもよい。
【００１５】
また、マゼンタ染料インクの着色剤であるマゼンタ染料としては、インクジェット記録用インクに一般的に使用される直接染料及び酸性染料等を使用できるが、良好な耐光性及び耐オゾン性が得られる点から以下の一般式（１）で表される染料（１）を使用することが好ましい。マゼンタ染料インクには、本発明の効果を損なわない範囲でマゼンタ顔料を含有させてもよい。
【００１６】
【化１】
2008075031.tif 000002
【００１７】
一般式（１）中、Ｒ１は、水素原子、置換されてもよいアルキル基又は置換されてもよいアリール基を表す。Ｒ２は、水素原子、ハロゲン原子又はシアノ基を表す。Ｒ３は、水素原子、置換されてもよいアルキル基、置換されてもよいアリール基又は置換されてもよいヘテロ環基を表す。Ｒ４、Ｒ５、Ｒ６及びＲ７は、それぞれ独立的に水素原子、置換されてもよいアルキル基、置換されてもよいアリール基、置換されてもよいヘテロ環基、置換されてもよいスルホニル基又は置換されてもよいアシル基を表す。ただし、Ｒ４とＲ５が共に水素原子であることはなく、Ｒ６とＲ７が共に水素原子であることはない。Ａ１及びＡ２は、いずれもが置換されていてもよい炭素原子であるか、あるいはこれらの一方が置換されていてもよい炭素原子であり、他方が窒素原子である。
【００１８】
次に、一般式（１）中の置換基Ｒ１〜Ｒ７、Ａ１〜Ａ２について説明する。
【００１９】
一般式（１）におけるハロゲン原子としては、フッ素原子、塩素原子及び臭素原子等が挙げられる。
【００２０】
一般式（１）において、置換されてもよいアルキル基におけるアルキル基としては、炭素原子数１〜６のアルキル基が好ましく、また、置換基の例としては、ヒドロキシル基、アルコキシ基（メトキシ基、エトキシ基等）、シアノ基、ハロゲン原子（フッ素原子、塩素原子、臭素原子等）、イオン性親水性基（カルボン酸塩、スルホン酸塩等）が挙げられる。置換されてもよいアルキル基の具体例としては、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基及び４−スルホブチル基等が挙げられる。
【００２１】
一般式（１）において、置換されてもよいアリール基におけるアリール基としては、置換基の炭素原子を除いた炭素原子数が６〜１２のアリール基が好ましい。置換基の例としては、アルキル基（メチル基、エチル基、イソプロピル基、ｔｅｒｔ−ブチル基、ｎ−オクチル基等）、アルコキシ基（前述参照）、ハロゲン原子（前述参照）、アルキルアミノ基（メチルアミノ基、ジメチルアミノ基等）、アミド基、カルバモイル基、スルファモイル基、スルホアミド基、水酸基、エステル基（メトキシカルボニル基、エトキシカルボニル基等）及びイオン性親水性基（前述参照）が挙げられる。置換されてもよいアリール基の具体例には、フェニル基、ナフチル基、ｐ−トリル基、ｐ−オクチルフェニル基、メシチル基、ｐ−メトキシフェニル基、ｏ−クロロフェニル基及びｍ−（３−スルホプロピルアミノ）フェニル基等が挙げられる。
【００２２】
一般式（１）において、置換されてもよいヘテロ環基におけるヘテロ環基としては、５員又は６員環のヘテロ環基が好ましい。置換基の例としては、アミド基、カルバモイル基、スルファモイル基、スルホアミド基、水酸基、エステル基（前述参照）、イオン性親水性基（前述参照）が挙げられる。置換されてもよいへテロ環基の具体例には、２−ピリジル基、２−チエニル基、２−チアゾリル基、２−ベンゾチアゾリル基、２−フリル基、６−スルホベンゾチアゾリル基及び６−スルホン酸塩ベンゾチアゾリル基等）が挙げられる。
【００２３】
一般式（１）において、置換されてもよいスルホニル基の置換基としては、アルキル基（前述参照）及びアリール基（前述参照）等が挙げられる。置換されてもよいスルホニル基の具体例としては、メチルスルホニル基及びフェニルスルホニル基等が挙げられる。
【００２４】
一般式（１）において、置換されてもよいアシル基のアシル基としては、置換基の炭素原子を除いた炭素原子数が１〜１２のアシル基が好ましく挙げられる。置換基の例としては、イオン性親水性基（前述参照）が挙げられる。置換されてもよいアシル基の具体例としては、アセチル基、ベンゾイル基、クロロアセチル基が挙げられる。
【００２５】
一般式（１）において、Ａ１及びＡ２は、既に述べたように、いずれもが置換されていてもよい炭素原子であるか、あるいはこれらの一方が置換されていてもよい炭素原子であり、他方が窒素原子である。Ａ１とＡ２が共に炭素原子である場合がより優れた性能を発揮できる点で好ましい。Ａ１とＡ２の炭素原子に結合する置換基としては、炭素原子数１〜３のアルキル基、カルボキシル基、カルバモイル基及びシアノ基等が挙げられる。
【００２６】
なお、一般式（１）において、Ｒ４とＲ５とは共に水素原子となることはなく、またＲ６とＲ７も共に水素原子となることはない。また、スルホン酸基もしくはカルボキシル基の置換数が多くなると水溶性が向上する傾向があるので、必要に応じてそれらの置換数を調整することが好ましい。
【００２７】
染料（１）の好ましい態様としては、一般式（１）において、Ｒ１がアルキル基、Ｒ２がシアノ基、Ｒ３が水素原子又は置換されてもよいヘテロ環基、Ｒ４が水素原子、置換されてもよいヘテロ環基又は置換されているアリール基、Ｒ５及びＲ６が置換されているヘテロ環基又は置換されているアリール基、Ｒ７が水素原子であり、Ａ１が置換されている炭素原子、Ａ２が置換されてもよい炭素原子である態様が挙げられる。
【００２８】
染料（１）のより好ましい態様としては、一般式（１）において、Ｒ１がｔｅｒｔ−ブチル基、Ｒ２がシアノ基、Ｒ３が水素原子又はスルホン酸基もしくはそのアルカリ金属塩基で置換されてもよいベンゾチアゾリル基（好ましくはベンゾチアゾール−２−イル基）、Ｒ４が水素原子、スルホン酸基もしくはそのアルカリ金属塩基で置換されてもよいベンゾチアゾリル基（好ましくはベンゾチアゾール−２−イル基）又はスルホン酸基もしくはそのアルカリ金属塩基で置換されているトリアルキルフェニル基（好ましくはメシチル基）、Ｒ５及びＲ６はそれぞれ独立的にスルホン酸基もしくはそのアルカリ金属塩基で置換されてもよいモノもしくはトリアルキルフェニル基（好ましくはｐ−オクチルフェニル基もしくはメシチル基）又はスルホン酸基もしくはそのアルカリ金属塩基で置換されているベンゾチアゾリル基（好ましくはベンゾチアゾール−２−イル基）、Ｒ７が水素原子であり、Ａ１がアルキル基（好ましくはメチル基）で置換されている炭素原子、Ａ２がシアノ基で置換されてもよい炭素原子である態様である。
【００２９】
染料（１）の好ましい具体例としては以下の化学式（１−Ａ）〜（１−Ｅ）で表される化合物が挙げられる。
【００３０】
【化２】
2008075031.tif 000003
【００３１】
化学式（１−Ａ）で表される化合物は、一般式（１）において、Ｒ１がｔｅｒｔ−ブチル基、Ｒ２がシアノ基、Ｒ３がベンゾチアゾール−２−イル基、Ｒ４が水素原子、Ｒ５及びＲ６がｐ−オクチルフェニル基、Ｒ７が水素原子であり、Ａ１がメチル基で置換されている炭素原子、Ａ２がシアノ基で置換されている炭素原子である態様である。
【００３２】
【化３】
2008075031.tif 000004
【００３３】
化学式（１−Ｂ）で表される化合物は、一般式（１）において、Ｒ１がｔｅｒｔ−ブチル基、Ｒ２がシアノ基、Ｒ３及びＲ４がベンゾチアゾール−２−イル基、Ｒ５及びＲ６がメシチル基、Ｒ７が水素原子であり、Ａ１がメチル基で置換されている炭素原子、Ａ２が炭素原子である態様である。
【００３４】
【化４】
2008075031.tif 000005
【００３５】
化学式（１−Ｃ）で表される化合物は、一般式（１）において、Ｒ１がｔｅｒｔ−ブチル基、Ｒ２がシアノ基、Ｒ３及びＲ４が６−スルホナトリウム塩ベンゾチアゾール−２−イル基、Ｒ５及びＲ６が３−スルホナトリウム塩−メシチル基、Ｒ７が水素原子であり、Ａ１がメチル基で置換されている炭素原子、Ａ２が炭素原子である態様である。
【００３６】
【化５】
2008075031.tif 000006
【００３７】
化学式（１−Ｄ）で表される化合物は、一般式（１）において、Ｒ１がｔｅｒｔ−ブチル基、Ｒ２がシアノ基、Ｒ３及びＲ４が水素原子、Ｒ５及びＲ６がメシチル基、Ｒ７が水素原子であり、Ａ１がメチル基で置換されている炭素原子、Ａ２が炭素原子である態様である。
【００３８】
【化６】
2008075031.tif 000007
【００３９】
化学式（１−Ｅ）で表される化合物は、一般式（１）において、Ｒ１がｔｅｒｔ−ブチル基、Ｒ２がシアノ基、Ｒ３及びＲ４が６−スルホカリウム塩ベンゾチアゾール−２−イル基、Ｒ５及びＲ６が３−スルホカリウム塩−メシチル基、Ｒ７が水素原子であり、Ａ１がメチル基で置換されている炭素原子、Ａ２が炭素原子である態様である。
【００４０】
一般式（１）で表される染料（１）は、以下に説明する工程（ａ）〜（ｃ）に従って製造できる。
【００４１】
工程（ａ）
化学式（１ａ）で表されるアミノピラゾールと、ジアゾ化剤とを反応させてジアゾニウム塩を形成する。ジアゾ化剤としては、亜硝酸ナトリウムの希塩酸水溶液を好ましく使用することができる。亜硝酸イソペンチルやニトロシル硫酸等も使用できる。
【００４２】
【化７】
2008075031.tif 000008
【００４３】
化学式（１ａ）における置換基Ｒ１とＲ２とは、染料（１）で説明したとおりである。なお、化学式（１ａ）アミノピラゾールは、米国特許第３，３３６，２８５号明細書、ヘテロサイクルズ（Ｈｅｔｅｒｏｃｙｃｌｅｓ），２０，５１９（１９８３）、特公平６−１９０３６号公報等に記載されている方法によって合成できる。
【００４４】
工程（ｂ）
次に、工程（ａ）で形成されたジアゾニウム塩を化学式（１ｂ）で表されるカップリング剤と反応させ、化学式（１ｃ）で表される化合物を形成する。
【００４５】
【化８】
2008075031.tif 000009
【００４６】
【化９】
2008075031.tif 000010
【００４７】
化学式（１ｂ）及び（１ｃ）における置換基Ｒ１〜Ｒ７は、染料（１）で説明したとおりである。なお、化学式（１ｃ）のピリジン系のカップリング剤は、特開昭５１−８３６３１号公報、特開昭４９−７４７１８号公報、特公昭５２−４６２３０号公報等に記載されている方法で合成できる。
【００４８】
工程（ｃ）
次に、塩基の存在下で、工程（ｂ）で形成された化合物をアルキル化剤、アリール化剤又はヘテリル化剤と反応させることにより、一般式（１）で表される染料（１）が得られる。この工程で使用する塩基としては、ジイソプロピルエチルアミン等の有機塩基；炭酸カリウム、炭酸ナトリウム、炭酸水素ナトリウム、炭酸水素カリウム、水酸化ナトリウム及び水酸化カリウム等の無機塩基等を使用することができる。アルキル化剤は“Ｒ−Ｘ”で表される化合物である。ここで、Ｒは置換されていてもよいアルキル基である。Ｘはハロゲン原子又はＯＳＯ２Ｒ’であり、Ｒ’はアルキル基又はフェニル基等のアリール基である。また、アリール化剤は“Ａｒ−Ｘ”で表される化合物である。ここで、Ａｒは、電子吸引性基が置換されたフェニル基（ハメットのσｐ値の合計が０．２以上の置換基で置換されていることが好ましい）である。ヘテリル化剤は“Ｈｅｔ−Ｘ”で表される化合物である。ここで、Ｈｅｔは、ヘテロ環、例えば、２−ピリジル基、２−チエニル基、２−チアゾリル基、２−ベンゾチアゾリル基、トリアジル基及び２−フリル基等が好ましく挙げられる。
【００４９】
また、シアン染料インクの着色剤であるシアン染料としては、インクジェット記録用インクに一般的に使用される直接染料及び酸性染料等を使用できるが、良好な耐光性及び耐オゾン性が得られる点から以下の一般式（２）で表される染料（２）を使用することが好ましい。シアン染料インクには、本発明の効果を損なわない範囲でシアン顔料を含有させてもよい。
【００５０】
【化１０】
2008075031.tif 000011
（一般式（３））
2008075031.tif 000012
【００５１】
一般式（２）において、Ｐｃ（Ｃｕ）は一般式（３）で表される銅フタロシアニン核を表す。
一般式（２）中、Ｒ１１、Ｒ１２、Ｒ１３及びＲ１４は、それぞれ独立的に−ＳＯ２−Ｒａ、−ＳＯ２ＮＲｂＲｃ又は−ＣＯ２−Ｒａから選ばれる置換基を表し、Ｒ１１、Ｒ１２、Ｒ１３及びＲ１４はすべてが同一であることはない。但し、Ｒ１１、Ｒ１２、Ｒ１３及びＲ１４の少なくとも１つはイオン性親水性基を置換基として有する。Ｒ１１、Ｒ１２、Ｒ１３及びＲ１４の少なくとも１つ以上は、一般式（３）で表される銅フタロシアニン核中の４つのベンゼン環Ａ、Ｂ、Ｃ及びＤのそれぞれに存在する。Ｒａは置換もしくは無置換のアルキル基、Ｒｂは水素原子、置換もしくは無置換のアルキル基、Ｒｃは置換もしくは無置換のアルキル基を表す。ｋは０＜ｋ＜８を満たす数、ｌは０＜ｌ＜８を満たす数、ｍは０≦ｍ＜８を満たす数、ｎは０≦ｎ＜８を満たす数であり、且つｋ、ｌ、ｍ及びｎは４≦ｋ＋ｌ＋ｍ＋ｎ≦８を満たす数である。
【００５２】
次に、一般式（２）中の置換基Ｒ１１〜Ｒ１４、Ｐｃ（Ｃｕ）、並びにｋ、ｌ、ｍ及びｎについて説明する。
【００５３】
一般式（２）において、Ｒａ、Ｒｂ又はＲｃの置換もしくは無置換のアルキル基としては、炭素数が１〜１２の直鎖、分岐及び脂環式アルキル基が好ましく挙げられる。特に染料の溶解性やインク安定性を高めるという理由から、分岐のアルキル基が好ましく、特に不斉炭素を有する場合（ラセミ体での使用）が特に好ましい。
【００５４】
Ｒａ、Ｒｂ又はＲｃの置換アルキル基における置換基の例としては、炭素数１〜１２の直鎖又は分岐鎖アルキル基、炭素数７〜１８の直鎖又は分岐鎖アラルキル基、炭素数２〜１２の直鎖又は分岐鎖アルケニル基、炭素数２〜１２の直鎖又は分岐鎖アルキニル基、炭素数３〜１２の直鎖又は分岐鎖シクロアルキル基、炭素数３〜１２の直鎖又は分岐鎖シクロアルケニル基（以上の各基は分岐鎖を有するものが染料の溶解性及びインクの安定性を向上させる点から好ましく、不斉炭素を有するものが特に好ましい。例えば、メチル、エチル、プロピル、イソプロピル、ｓｅｃ−ブチル、ｔｅｒｔ−ブチル、２−エチルヘキシル、２−メチルスルホニルエチル、３−フェノキシプロピル、トリフルオロメチル、シクロペンチル）、ハロゲン原子（例えば、塩素原子、臭素原子）、アリール基（例えば、フェニル、４−ｔｅｒｔ−ブチルフェニル、２，４−ジ−ｔｅｒｔ−アミルフェニル）、ヘテロ環基（例えば、イミダゾリル、ピラゾリル、トリアゾリル、２−フリル、２−チエニル、２−ピリミジニル、２−ベンゾチアゾリル）、シアノ基、ヒドロキシル基、ニトロ基、カルボキシ基、アミノ基、アルキルオキシ基（例えば、メトキシ、エトキシ、２−メトキシエトキシ、２−メタンスルホニルエトキシ）、アリールオキシ基（例えば、フェノキシ、２−メチルフェノキシ、４−ｔｅｒｔ−ブチルフェノキシ、３−ニトロフェノキシ、３−ｔｅｒｔ−ブチルオキシカルバモイルフェノキシ、３−メトキシカルバモイル）、アシルアミノ基（例えば、アセトアミド、ベンズアミド、４−（３−ｔｅｒｔ−ブチル−４−ヒドロキシフェノキシ）ブタンアミド）、アルキルアミノ基（例えば、メチルアミノ、ブチルアミノ、ジエチルアミノ、メチルブチルアミノ）、アニリノ基（例えば、フェニルアミノ、２−クロロアニリノ）、ウレイド基（例えば、フェニルウレイド、メチルウレイド、Ｎ，Ｎ−ジブチルウレイド）、スルファモイルアミノ基（例えば、Ｎ，Ｎ−ジプロピルスルファモイルアミノ）、アルキルチオ基（例えば、メチルチオ、オクチルチオ、２−フェノキシエチルチオ）、アリールチオ基（例えば、フェニルチオ、２−ブトキシ−５−ｔｅｒｔ−オクチルフェニルチオ、２−カルボキシフェニルチオ）、アルキルオキシカルボニルアミノ基（例えば、メトキシカルボニルアミノ）、スルホンアミド基（例えば、メタンスルホンアミド、ベンゼンスルホンアミド、ｐ−トルエンスルホンアミド）、カルバモイル基（例えば、Ｎ−エチルカルバモイル、Ｎ，Ｎ−ジブチルカルバモイル）、スルファモイル基（例えば、Ｎ−エチルスルファモイル、Ｎ，Ｎ−ジプロピルスルファモイル、Ｎ−フェニルスルファモイル）、スルホニル基（例えば、メタンスルホニル、オクタンスルホニル、ベンゼンスルホニル、トルエンスルホニル）、アルキルオキシカルボニル基（例えば、メトキシカルボニル、ブチルオキシカルボニル）、ヘテロ環オキシ基（例えば、１−フェニルテトラゾール−５−オキシ、２−テトラヒドロピラニルオキシ）、アゾ基（例えば、フェニルアゾ、４−メトキシフェニルアゾ、４−ピバロイルアミノフェニルアゾ、２−ヒドロキシ−４−プロパノイルフェニルアゾ）、アシルオキシ基（例えば、アセトキシ）、カルバモイルオキシ基（例えば、Ｎ−メチルカルバモイルオキシ、Ｎ−フェニルカルバモイルオキシ）、シリルオキシ基（例えば、トリメチルシリルオキシ、ジブチルメチルシリルオキシ）、アリールオキシカルボニルアミノ基（例えば、フェノキシカルボニルアミノ）、イミド基（例えば、Ｎ−スクシンイミド、Ｎ−フタルイミド）、ヘテロ環チオ基（例えば、２−ベンゾチアゾリルチオ、２，４−ジフェノキシ−１，３，５−トリアゾール−６−チオ、２−ピリジルチオ）、スルフィニル基（例えば、３−フェノキシプロピルスルフィニル）、ホスホニル基（例えば、フェノキシホスホニル、オクチルオキシホスホニル、フェニルホスホニル）、アリールオキシカルボニル基（例えば、フェノキシカルボニル）、アシル基（例えば、アセチル、３−フェニルプロパノイル、ベンゾイル）、イオン性親水性基（例えば、カルボキシル基、スルホ基、ホスホノ基及び４級アンモニウム基）が挙げられる。これらの中でもヒドロキシル基、エーテル結合又はエステル結合を有する基、シアノ基、スルホンアミド基が染料の会合性を高め堅牢性を向上させるので特に好ましい。この他、ハロゲン原子やイオン性親水性基を有していてもよい。
【００５５】
このようなＲａ、Ｒｂ又はＲｃの置換又は無置換のアルキル基の具体例としては、メチル基、エチル基、ｎ−ブチル基、イソプロピル基、ｔｅｒｔ−ブチル基、ヒドロキシエチル基、メトキシエチル基、シアノエチル基、トリフルオロメチル基、３−スルホプロピル基及び４−スルホブチル基等が挙げられる。
【００５６】
染料（２）の好ましい態様としては、一般式（２）において、Ｒ１１、Ｒ１２、Ｒ１３及びＲ１４が−ＳＯ２−Ｒａで示される置換基であり、ここで、Ｒ１１、Ｒ１２、Ｒ１３及びＲ１４がそれぞれ有するＲａは置換もしくは無置換のアルキル基であるが、但し、これら４つのＲａの置換もしくは無置換のアルキル基のすべてが完全に同一ではない態様が挙げられる。ここで、完全に同一ではないということは、４つのＲａの少なくとも一つがイオン性親水性基を有する置換アルキル基であることを前提に、少なくとも２種類のＲａが存在することを意味する。
【００５７】
染料（２）のより好ましい態様としては、一般式（２）におけるｋは０＜ｋ＜４を満たす数、ｌは０＜ｌ＜４を満たす数、ｍは０≦ｍ＜４を満たす数、ｎは０≦ｎ＜４を満たす数であり、且つｋ、ｌ、ｍ及びｎはｋ＋ｌ＋ｍ＋ｎ＝４を満たす数である態様が挙げられる。
【００５８】
染料（２）の好ましい具体例としては、以下の化学式（２−Ａ）〜（２−Ｅ）で表される化合物が挙げられる。
【００５９】
【化１１】
2008075031.tif 000013
【００６０】
化学式（２−Ａ）の化合物は、一般式（２）において、Ｒ１１がリチウムスルホナトプロピルスルホニル基、Ｒ１２がＮ−（２−ヒドロキシプロピル）スルファモイルプロピルスルホニル基であり、ｋが３、ｌが１、ｍ及びｎが共に０である態様である。
【００６１】
【化１２】
2008075031.tif 000014
【００６２】
化学式（２−Ｂ）の化合物は、一般式（２）において、Ｒ１１がリチウムスルホナトプロピルスルホニル基、Ｒ１２がＮ−（２−ヒドロキシイソプロピル）スルファモイルプロピルスルホニル基であり、ｋが３、ｌが１、ｍ及びｎが共に０である態様である。
【００６３】
【化１３】
2008075031.tif 000015
【００６４】
化学式（２−Ｃ）の化合物は、一般式（２）において、Ｒ１１がリチウムスルホナトプロピルスルホニル基、Ｒ１２がＮ，Ｎ−（ジ（２−ヒドロキシエチル））スルファモイルプロピルスルホニル基であり、ｋが３、ｌが１、ｍ及びｎが共に０である態様である。
【００６５】
【化１４】
2008075031.tif 000016
【００６６】
化学式（２−Ｄ）の化合物は、一般式（２）において、Ｒ１１がリチウムスルホナトプロピルスルホニル基、Ｒ１２がＮ−（２−ヒドロキシプロピル）スルファモイルプロピルスルホニル基、Ｒ１３がＮ−（２−ヒドロキシイソプロピル）スルファモイルプロピルスルホニル基であり、ｋが２、ｌが１、ｍが１、ｎが０である態様である。
【００６７】
【化１５】
2008075031.tif 000017
【００６８】
化学式（２−Ｅ）の化合物は、一般式（２）において、Ｒ１１がリチウムスルホナトプロピルスルホニル基、Ｒ１２がリチウムカルボキシラトプロピルスルホニル基、Ｒ１３がＮ−（２−ヒドロキシプロピル）スルファモイルプロピルスルホニル基、Ｒ１４がＮ−（２−ヒドロキシイソプロピル）スルファモイルプロピルスルホニル基であり、ｋ、ｌ、ｍ及びｎが共に１である態様である。
【００６９】
以下に一般式（２）で表される染料（２）の製造方法について説明するが、一般に、無置換のフタロシアニン化合物は、特表２００２−５２６５８９（ＷＯ００／１７２７５）号公報等に記載されているようにスルホン化すると、比較的容易にフタロシアニン核にスルホ基を導入することができる。スルホン化したフタロシアニン化合物を水溶性染料として使用する場合には、スルホ基をアルカリ金属水酸化物、例えば水酸化ナトリウムで造塩し、スルホン酸塩としてそのまま染料として使用することができる。この場合、スルホン化がフタロシアニン核の任意の位置でも起こり得る上に、導入されるスルホ基の個数の制御も困難である。従って、スルホ基の導入位置、導入個数を考慮することなく、主としてスルホン化の容易さのみを考慮した反応条件でスルホン化した場合には、生成物に導入されたスルホ基の位置と個数の特定は困難であり、置換基の個数や置換位置の異なる混合物が得られてしまう。そこで、染料（２）の耐オゾン性を向上させるためには、耐オゾン性が劣った生成物の混入を防止する必要があるため、あらかじめフタル酸誘導体に常法に従って特定の置換基を導入し、この置換フタル酸誘導体とＣｕＣｌ２等の銅誘導体とを、特開２０００−３０３００９号公報等に記載されている方法に従って反応させれば、一般式（２）の銅フタロシアニンを製造することができる。
【００７０】
次に、本発明のインクジェット記録用インクセットの各インクを構成する水及び水溶性有機溶剤について説明する。
【００７１】
本発明で使用する水としては、塩類の少ないイオン交換水が好ましい。インクジェット記録用インクセットの各色インク中における水の含有量は、他の成分の残部という位置づけであるから、他の成分の含有量に依存するが、通常、１０〜９０重量％、好ましくは４０〜８０重量％である。
【００７２】
本発明で使用する水溶性有機溶剤には、主としてインクジェットヘッドのノズル先端部におけるインクの乾燥を防止するための湿潤剤と、主として紙面上での乾燥速度を速くするための浸透剤とが含まれる。
【００７３】
湿潤剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；１，３−ブタンジオール、１，５−ペンタンジオール、１，６−ヘキサンジオール、グリセリン、１，２，６−ヘキサントリオール、１，２，４−ブタントリオール、１，２，３−ブタントリオール、ペトリオール等の多価アルコール類；エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール；ポリエチレングリコール、ポリプロピレングリコール等のポリアルキレングリコール；ホルムアミド、Ｎ−メチルホルムアミド、Ｎ，Ｎ−ジメチルホルムアミド、ジメチルアセトアミド等のアミド；モノエタノールアミン、ジエタノールアミン、トリエタノールアミン、モノエチルアミン、ジエチルアミン、トリエチルアミン等のアミン；アセトン、ジアセトンアルコール等のケトン又はケトアルコール；テトラヒドロフラン、ジオキサン等のエーテル；２−ピロリドン、Ｎ−メチル−２−ピロリドン、Ｎ−ヒドロキシエチル−２−ピロリドン等；１，３−ジメチルイミダゾリジノン、ε−カプロラクタム等の含窒素複素環化合物；ジメチルスルホキシド、スルホラン、チオジエタノール等の含硫黄化合物；等が挙げられる。中でも、アルキレングリコール、グリセリン等の多価アルコールが好ましい。
【００７４】
インクジェット記録用インクセットの各インク中における湿潤剤の含有量は、一般には０〜９５重量％、好ましくは１０〜８０重量％、より好ましくは１０〜５０重量％である。これら湿潤剤は、単独又は２種類以上を混合して用いることも可能である。
【００７５】
一方、浸透剤としては、例えば、エチレングリコールメチルエーテル、エチレングリコールエチルエーテル、エチレングリコールプロピルエーテル、エチレングリコールブチルエーテル、ジエチレングリコールメチルエーテル、ジエチレングリエチルエーテル、ジエチレングリコールプロピルエーテル、ジエチレングリコールブチルエーテル、ジエチレングリコールジメチルエーテル、ジエチレングリコールジエチルエーテル、ジエチレングリコールジプロピルエーテル、ジエチレングリコールジブチルエーテル、トリエチレングリコールメチルエーテル、トリエチレングリコールエチルエーテル、トリエチレングリコールプロピルエーテル、トリエチレングリコールブチルエーテル、トリエチレングリコールジメチルエーテル、トリエチレングリコールジエチルエーテル、トリエチレングリコールジプロピルエーテル、トリエチレングリコールジブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールプロピルエーテル、ジプロピレングリコールブチルエーテル、ジプロピレングリコールジメチルエーテル、ジプロピレングリコールジエチルエーテル、ジプロピレングリコールジプロピルエーテル、ジプロピレングリコールジブチルエーテル、トリプロピレングリコールメチルエーテル、トリプロピレングリコールエチルエーテル、トリプロピレングリコールプロピルエーテル、トリプロピレングリコールブチルエーテル、トリプロピレングリコールジメチルエーテル、トリプロピレングリコールジエチルエーテル、トリプロピレングリコールジプロピルエーテル、トリプロピレングリコールジブチルエーテル等が挙げられる。
【００７６】
インクジェット記録用インクセットの各色インク中における浸透剤の含有量は、一般には０〜２０重量％、好ましくは０．１〜１５重量％、より好ましくは１〜１０重量％である。なお、含有量が過剰であると、インクの紙への浸透性が高くなりすぎて滲みの原因となってしまうことがある点に留意が必要である。これら浸透剤は、単独又は２種類以上を混合して用いることも可能である。
【００７７】
本発明のインクジェット記録用インクセットの各色インクは、更に必要に応じて、ポリビニルアルコール、ポリビニルピロリドン及び水溶性樹脂等の粘度調整剤；表面張力調整剤；防黴剤；ｐＨ調整剤等の従来公知の添加剤を含有していてもよい。
【００７８】
本発明のインクジェット記録用インクセットは、上述した着色剤に、必要に応じて、水、水溶性有機溶剤、その他の各種各種添加剤を、常法に従って均一に混合することにより各色インクを調製し、それらをセットとすることにより製造することでができる。
【実施例】
【００７９】
実施例１〜６及び比較例１〜５
表１及び表２に示すインク組成を、均一に混合することによりインクジェット記録用インクを調製した。ここで、染料（１−Ａ）〜（１−Ｅ）はそれぞれ化学式（１−Ａ）〜（１−Ｅ）の化合物に、染料（２−Ａ）〜（２−Ｅ）はそれぞれ化学式（２−Ａ）〜（２−Ｅ）の化合物に該当する。
【００８０】
得られたインクジェット記録用インクセットについて、（１）光沢紙定着性評価、（２）耐水性評価、（３）保存安定性評価、（４）退色後の印字物評価及び（５）総合評価を次のように行った。評価結果を表３に示す。
【００８１】
（１）光沢紙定着性評価
黒インクを所望のインクカートリッジに充填し、インクジェットプリンタ搭載デジタル複合機（ブラザー工業（株）製；ＤＣＰ−１１０Ｃ）に装着し、光沢紙（ブラザー工業（株）製；写真光沢紙（型番；ＢＰ６０ＧＬＡ））にテキスト印字し、印字後５０分経過した後に、指で擦り、インクの擦れを目視により観察し、画像に与える影響を以下の基準に基づき評価した。
Ａ：  インクの擦れが認められない、又はほとんど目立たない
Ｂ：  インクの擦れが若干あるが、実用上問題ない
Ｃ：  インクの擦れが目立ち、実用には向かない
【００８２】
（２）耐水性評価
黒インクを所望のインクカートリッジに充填し、インクジェットプリンタ搭載デジタル複合機（ブラザー工業（株）製；ＤＣＰ−１１０Ｃ）に装着し、評価サンプルを作成した。評価サンプルとしては、ｍ−ｒｅａｌ製ＤＡＴＡ  ＣＯＰＹ紙に黒インクのグラデーションサンプルをプリントし、初期ＯＤ値１．０の５ｃｍ四方のプリントパッチを得た。このプリントパッチを１０分間自然放置した後に、５分間水道水に浸漬した。浸漬後、プリントパッチを２４時間自然乾燥し、非記録部のインク移りの濃度及び記録部のインク残りを目視により以下の基準に基づき評価した。
ＡＡ：  インクのにじみが全く認められない
Ａ：  インクのにじみがほとんど目立たない
Ｂ：  インクのにじみが若干あるが、実用上問題ない
Ｃ：  インクのにじみが目立ち、実用には向かない
【００８３】
（３）保存安定性評価
黒インクをガラス容器内に密閉し、６０℃の恒温槽に１４日間放置した。その後、ガラス容器の底部からインクを採取し、凝集物の有無を顕微鏡観察によって以下の基準に基づき評価した。
Ａ：  凝集物がほとんどない
Ｂ：  凝集物が若干あるが、実用上問題ない
Ｃ：  凝集物が多くあり、実用には向かない
【００８４】
（４）退色後の印字物評価
（４−１）印字
表１、２に示した黒インク及びカラーインクセットを組み合わせて、表３に示した各実施例及び比較例のインクジェット記録用インクセットを構成した。各インクを所望のインクカートリッジに充填し、インクジェットプリンタ搭載デジタル複合機（ブラザー工業（株）製；ＤＣＰ−１１０Ｃ）に装着し、評価サンプルを作成した。評価サンプルとしては、光沢紙（ブラザー工業（株）製；写真光沢紙（型番；ＢＰＧＬＡ））に、４色の各インクについてグラデーションサンプルをプリントし、初期ＯＤ値１．０のプリントパッチを得た。
【００８５】
（４−２）耐光性試験
上述の評価サンプルを用いて、耐光性試験を行った。耐光性試験はスガ試験機（株）製強エネルギーキセノンウェザーメーターＳＣ７５０−ＷＮを用い、光源にキセノンランプ光、室温２５℃、湿度５０％ＲＨ、照度９３０００Ｌｕｘで１００時間照射させた。試験前にＯＤ値１．０を示す４色のプリントパッチについて、耐光性試験後におけるＯＤ値を測定した。ＯＤ値はＧｒｅｔａｇ  Ｍａｃｂｅｔｈ社製Ｓｐｅｃｔｒｏｌｉｎｏ（光源：Ｄ６５；視野：２°；ｓｔａｔｕｓ  Ａ）により測定した。次式により、試験前のＯＤ値１．０のプリントパッチについて、ＯＤ値減少率を求めた。
【００８６】
【数１】
2008075031.tif 000018
【００８７】
（４−３）耐オゾン性試験
上述の評価サンプルを用いて、耐オゾン性試験を行った。耐オゾン性試験はスガ試験機（株）製オゾンウェザーメーターＯＭＳ−Ｈを用い、オゾン濃度１ｐｐｍ、槽内温度２４℃、湿度６０％ＲＨで４０時間放置して行なった。試験前にＯＤ値１．０を示す４色のプリントパッチについて、耐オゾン試験後におけるＯＤ値を測定した。ＯＤ値はＧｒｅｔａｇ  Ｍａｃｂｅｔｈ社製Ｓｐｅｃｔｒｏｌｉｎｏ（光源：Ｄ６５；視野：２°；ｓｔａｔｕｓ  Ａ）により測定した。上述の数式により、試験前のＯＤ値１．０のプリントパッチについて、ＯＤ値減少率を求めた。
【００８８】
（４−４）評価
耐光性試験及び耐オゾン性試験で得られたＯＤ値減少率を以下の評価基準に基づき評価した。
Ａ：  耐光性試験及び耐オゾン性試験がともに、３色のカラーインクのＯＤ値減少率の順序と黒インク中のイエロー、マゼンタ及びシアン成分のＯＤ値減少率の順序が同一であり、かつ黒のＯＤ値減少率が、耐光性試験及び耐オゾン性試験ともに２０％以内である
Ｂ：  耐光性試験及び耐オゾン性試験がともに、３色のカラーインクのＯＤ値減少率の順序と黒インク中のイエロー、マゼンタ及びシアン成分のＯＤ値減少率の順序は同一であるが、黒のＯＤ値減少率が、耐光性試験及び耐オゾン性試験のいずれか又は両方で２０％を超える
Ｃ：  耐光性試験及び耐オゾン性試験の少なくともどちらかの試験において、３色のカラーインクのＯＤ値減少率の順序と黒インク中のイエロー、マゼンタ及びシアン成分のＯＤ値減少率の順序が異なる
【００８９】
（５）総合評価
実施例及び比較例のインクセットについて、以下の基準に基づき総合評価を行った。
Excellent (非常に良好)：  評価結果にＢが１つ以下であるが、Ｃはなく、残りの評価結果がＡＡ又はＡである
Good (良好)：  評価結果にＢが２つ以上であるが、Ｃはない
Poor(不良)：  評価結果のいずれかにＣがある
【００９０】
【表１】
2008075031.tif 000019
【００９１】
【表２】
2008075031.tif 000020
【００９２】
【表３】
2008075031.tif 000021
【００９３】
表３の結果から、実施例１〜６のインクジェット記録用インクセットは、いずれの評価項目についても実用上問題のないレベル以上の好ましい結果を示していることがわかる。
【００９４】
一方、黒インクの着色剤における黒顔料の割合が高い比較例１のインクセットは、光沢紙定着性が充分なものではなかった。逆に、染料の割合が高い比較例２のインクセットは、印字物の耐水性が不充分であった。また、黒インク中にカラー染料を含有している比較例３及び４のインクジェット記録用インクセットの場合、黒インクが含有しているカラー染料と、インクセットを構成するカラー染料インク中のカラー染料とが相違しているため、カラー染料インクのイエロー染料、マゼンタ染料及びシアン染料の耐光性及び耐オゾン性の順序と、黒インク中のイエロー、マゼンタ及びシアン成分の耐光性及び耐オゾン性の順序が異なり、退色後の印字物の評価結果が好ましいものではなかった。さらに、黒インク中に黒染料を含有するがカラー染料を含有しない比較例５のインクジェット記録用インクセットの場合、退色後の印字物の評価結果が好ましいものではなかった。その結果、比較例１〜５のインクセットの総合評価は芳しいものではなかった。
【産業上の利用可能性】
【００９５】
カラー染料インクと黒インクとを用いた本発明のインクジェット記録用インクセットは、黒インクに、黒顔料よりも光沢紙定着性に優れたカラー染料を所定量範囲で含有させ、しかも、黒インクに含有させるカラー染料として、インクジェット記録用インクセットのカラー染料インクのカラー染料と同一のカラー染料を使用する。この結果、本発明のインクジェット記録用インクセットは、黒顔料を含有する黒インクを使用しながらも光沢紙定着性に優れ、記録画像の印字色において退色後にも黒インクの印字部分が不自然に目立たないものである。しかも、インク自体が良好な保存安定性を有し、記録画像も良好な耐水性を示す。